(57)【要約】【課題】  携帯に便利な形状であり、パソコン等のＵＳＢ端子を利用可能な充電器を提供すること。【解決手段】  電気製品に着脱自在に接続され電力供給を行う充電器において、電力供給源に接続され電力を受入するＵＳＢ端子と、電気製品に接続され電力を出力する電力供給端子と、充放電可能な電池と、それらに接続され電力の出入及び電池の充放電を司る制御装置とを設ける。【選択図】  図１
0003128013.tif 000002
【実用新案登録請求の範囲】
【請求項１】
電気製品に着脱自在に接続され電力供給を行う充電器であって、
電力供給源に接続され電力を受入するＵＳＢ端子と、電気製品に接続され電力を出力する電力供給端子と、充放電可能な電池と、それらに接続され電力の出入及び電池の充放電を司る制御装置とを備える
ことを特徴とする充電器。
【請求項２】
充電対象の電気製品が携帯式電話機であり、電力供給端子が、携帯式電話機の電力受入端子に係合する携帯式電話機接合端子である
請求項１に記載の充電器。
【請求項３】
充電器本体の外形が略直方体形状であり、その端部に開閉自在なカバーを２体有し、各カバーの内側にそれぞれＵＳＢ端子及び電力供給端子が設けられる
請求項１または２に記載の充電器。
【請求項４】
ＵＳＢ端子或いは電力供給端子の少なくとも一方が、充電器本体内部に収容され出入自在なケーブルに接続される
請求項１ないし３に記載の充電器。
【請求項５】
ＵＳＢ端子或いは電力供給端子の少なくとも一方が、充電器本体に備わる軸部を介して回動可能である
請求項１ないし３に記載の充電器。
【請求項６】
充放電可能な電池が、充電器本体の電池収容空間に着脱自在に配置される
請求項１ないし５に記載の充電器。
【考案の詳細な説明】
【技術分野】
【０００１】
本考案は、携帯式電話機などの電気製品に着脱自在に接続されて、電気製品への電力供給を行う充電器の構成に関する。
【背景技術】
【０００２】
携帯式電話機などの電気製品に接続して利用する従来の充電器は、その電気製品に専用であるのものがほとんどであり、携帯の利便と使いやすさとを兼ね備えたものは稀であった。
例えば、屋内のＡＣコンセントに接続して充電する携帯式電話機用の充電器には、特許文献１、２があるが、このような従来の充電器によると、全体の形状に凹凸が多く、携帯には便利でなかった。
【特許文献１】特開２００４−３２４８０「携帯電話の充電器具」
【特許文献２】特開２００１−３４６３３５「充電器」
【０００３】
また、最近ではパソコン等のＵＳＢ端子が電力出力端子として使用可能になったが、これを携帯用の充電器の充電に用いる構成はなかった。
【考案の開示】
【考案が解決しようとする課題】
【０００４】
そこで、本考案は、携帯に便利な形状であり、パソコン等のＵＳＢ端子を利用可能な充電器を提供することを課題とする。
【課題を解決するための手段】
【０００５】
上記課題を達成するため、本考案の充電器は、次の構成を備える。
すなわち、電気製品に着脱自在に接続され電力供給を行う充電器において、電力供給源に接続され電力を受入するＵＳＢ端子と、電気製品に接続され電力を出力する電力供給端子と、充放電可能な電池と、それらに接続され電力の出入及び電池の充放電を司る制御装置とを設けることを特徴とする。
【０００６】
ここで、電力供給端子を、携帯式電話機の電力受入端子に係合する携帯式電話機接合端子として、携帯式電話機の充電に寄与させてもよい。
【０００７】
また、充電器本体の外形を略直方体形状とし、その端部に開閉自在なカバーを２体配設し、各カバーの内側にそれぞれＵＳＢ端子及び電力供給端子を設けて、充電器の携帯の利便と、ＵＳＢ端子及び電力供給端子の保護とに寄与させてもよい。
【０００８】
ＵＳＢ端子或いは電力供給端子の少なくとも一方を、充電器本体内部に収容され出入自在なケーブルに接続して、充電器の使用の利便に寄与させてもよい。
【０００９】
ＵＳＢ端子或いは電力供給端子の少なくとも一方を、充電器本体に備わる軸部を介して回動可能に構成して、充電器の使用の利便に寄与させてもよい。
【００１０】
充放電可能な電池を、充電器本体の電池収容空間に着脱自在に配置して、電池を取り出して別の用途に使うことに寄与させてもよい。
【考案の効果】
【００１１】
本考案によると、携帯及び使用に便利であり、パソコン等のＵＳＢ端子から給電でき充電にも便利である。
【考案を実施するための最良の形態】
【００１２】
以下に、本考案の実施形態を図面に基づいて説明する。
ここでは、リチウムイオン電池を内蔵し、外形が平らな略直方体の充電器を例示する。しかし、内蔵する電池のタイプは、ニッカド電池や小形シール鉛畜電池など、充放電可能な２次電池を適宜利用できる。また、外形も、略楕円注状など、持ち運びやすい形状を適宜採用できる。
また、ここでは、電力供給対象の外部電気製品として携帯電話を例示するが、例えば充電式の髭剃器や音楽再生機やゲーム機など、特に携帯式の電気製品一般に有用である。
【００１３】
図１は、カバーを開いた状態を示す充電器の正面説明図である。
充電器の本体部（１０）の外形は、平らな略直方体形状であり、全体の大きさは、およそ縦８ｃｍ、横５ｃｍ、厚み２ｃｍである。
充電器の本体部（１０）の内部には、充放電可能な電池が備わると共に、その内蔵電池の充放電と、電力出入とを司る制御装置が備わる。
【００１４】
本体部の両端部には、支軸（１１）を介して開閉自在なカバー（１２）が備わる。各カバー（１２）（１２）の内側には、それぞれＵＳＢ端子（１３）及び携帯式電話機接合端子（１４）が備わり、カバー（１２）の被覆によって保護されている。
【００１５】
ＵＳＢ端子（１３）は、パソコンなど電力供給源のＵＳＢ端子に接続され電力を受入する。
携帯式電話機接合端子（１４）は、携帯式電話機に接続され電力を供給する。
【００１６】
図２は、別実施例の充電器の背面説明図である。
携帯式電話機接合端子（１４）が、ケーブル（１５）を介して本体部（１０）に接続されている。
ケーブル（１５）は、本体部（１０）に収容され出入自在であり、図示のように延伸させて携帯式電話機（２０）に接続させてもよい。
【００１７】
図３は、別実施例の充電器の正面説明図である。
携帯式電話機接合端子（１４）が、軸部を介して本体部（１０）に接続される。そのため、携帯式電話機接合端子（１４）を回動させて、コネクタの向きを変えると共に、閉じたカバー（１２）の外部に現すことができる。
携帯式電話機接合端子（１４）の回動のためには、例えば、その側面に軸体を装着し、その軸体を支持する穴を本体部（１０）に設けるなど、従来公知の手段を適宜利用可能である。
【００１８】
図４は、別実施例の充電器の背面説明図である。
図２に示した実施例と同様に、ＵＳＢ端子（１３）が、ケーブル（１６）を介して本体部（１０）に接続されている。
ケーブル（１６）は、本体部（１０）に収容され出入自在であり、図示のように延伸させて、パソコンなどのＵＳＢ端子に接続させてもよい。
また、図３に示した実施例と同様に、ＵＳＢ端子（１３）も、回動可能に本体部（１０）に設けてもよい。
【００１９】
以上のような充電器によると、携帯式電話機（２０）への充電と、パソコン等からの蓄電とを、同時にも、選択的にも行える。
そのためには、制御装置に、ＵＳＢ端子（１３）のみを外部端子に接続した場合には、内蔵電池を蓄電し、携帯式電話機接合端子（１４）のみを外部端子に接続した場合には、携帯式電話機へ電力を供給し、ＵＳＢ端子（１３）と携帯式電話機接合端子（１４）の双方を外部端子に接続した場合には、内蔵電池を充電可能とすると共に携帯式電話機へ電力供給可能とする制御回路を設ける。
これによって、ＵＳＢ端子（１３）及び携帯式電話機接合端子（１４）の接続状態や、内蔵電池の容量に応じて、外部から内蔵電池或いは携帯式電話機への電力供給や、内蔵電池から携帯式電話機への電力供給を自在に制御可能となる。なお、ＵＳＢ端子（１３）と携帯式電話機接合端子（１４）の双方を外部端子に接続した場合には、内蔵電池を介する回路を用いてもよいし、介さない回路を用いてもよい。
【００２０】
このような制御回路は、自動制御回路でも手動制御回路でもよい。
手動制御の場合には、制御装置に手動操作式のスイッチを付設する。そのスイッチの手動操作によって、外部から内蔵電池或いは携帯式電話機への電力供給と、内蔵電池から携帯式電話機への電力供給とが切替制御される回路を設ける。
手動操作可能であると、内蔵電池への蓄電充電か携帯式電話機への充電か、使用者の用途を優先して利用できるようになる。
【００２１】
これらの状態は、ランプを付設して視認可能にしてもよい。例えば、複数のランプの明度や点灯消灯によって、内蔵電池の容量や充放電状態を指示する。
【００２２】
なお、本充電器で使用する電池は、必ずしも固定内蔵式の電池でなくてもよい。
すなわち、本体部（１０）の裏面等にキャップを設けると共に、そのキャップ下に電池の収容空間を設けて、２次電池を本体部（１０）に対して着脱自在な構成にしてもよい。
すると、本充電器で蓄電された電池を取り出して、他の電気製品に利用することが可能になる。また、他の電池を本充電器に装着してランプの明度等を観察することで、その電池の容量チェックに利用することも可能になる。
【産業上の利用可能性】
【００２３】
本考案による充電器は、携帯に便利な形状であり、携帯時には端子がカバーで保護され、使用時には端子の向きを調節したりケーブルを介して伸長させられる。特に、パソコン等のＵＳＢ端子から電力受入できるので利便性が高く、産業上利用価値が高い。
【図面の簡単な説明】
【００２４】
【図１】カバーを開いた状態を示す充電器の正面説明図
【図２】別実施例の充電器の背面説明図
【図３】別実施例の充電器の正面説明図
【図４】別実施例の充電器の背面説明図
【符号の説明】
【００２５】
１０  本体部
１１  支軸
１２  カバー
１３  ＵＳＢ端子
１４  携帯式電話機接合端子
１５、１６  ケーブル
２０  携帯式電話機
【図１】
0003128013.tif 000003
【図２】
0003128013.tif 000004
【図３】
0003128013.tif 000005
【図４】
0003128013.tif 000006